(57)【要約】      （修正有）【課題】適用範囲が幅広い、多色多形態人工芝を提供する。【解決手段】基布１にタフティングした少なくとも３種類の色の芝糸繊維、および前記基布の裏面に塗布した接着剤を含み、前記芝糸繊維が捲縮ヤーン繊維３および／または少なくとも２種の色のストレートヤーン繊維２を含み、前記ストレートヤーン繊維が少なくとも２種の横断面形状を含み、前記捲縮ヤーン繊維が少なくとも１種の横断面形状を含む。【選択図】図１
0003222143.tif 000002
【実用新案登録請求の範囲】
【請求項１】
多色多形態人工芝であって、基布（１）、前記基布（１）にタフティングした少なくとも３種類の色の芝糸繊維、および前記基布（１）の裏面に塗布した接着剤を含み、前記芝糸繊維が捲縮ヤーン繊維（３）および／または少なくとも２種の色のストレートヤーン繊維（２）を含むことを特徴とする多色多形態人工芝。
【請求項２】
前記ストレートヤーン繊維（２）は、緑色繊維、黄色繊維、茶褐色繊維のうちの２種または３種類であり、前記捲縮ヤーン繊維（３）は、緑色繊維、黄色繊維、茶褐色繊維のうちの少なくとも１種であり、前記緑色繊維が若緑色繊維、濃緑色繊維、浅緑色繊維、黄緑色繊維のうちの１種または複数種であり、前記黄色繊維が米色繊維と茶色繊維のうちの１種または２種であり、前記茶褐色繊維が薄茶褐色繊維、濃茶褐色繊維のうちの１種または２種であることを特徴とする請求項１に記載の多色多形態人工芝。
【請求項３】
ストレートヤーン繊維（２）は浅緑色繊維、濃緑色繊維、黄緑色繊維および茶色繊維を含み、捲縮ヤーン繊維（３）は浅緑色繊維であることを特徴とする請求項２に記載の多色多形態人工芝。
【請求項４】
前記ストレートヤーン繊維（２）は少なくとも２種の横断面形状を含み、前記捲縮ヤーン繊維（３）は少なくとも１種の横断面形状を含むことを特徴とする請求項１に記載の多色多形態人工芝。
【請求項５】
前記ストレートヤーン繊維（２）は、長方形、三角形、菱形、ダブル菱形（Ｄｏｕｂｌｅ  Ｄｉａｍｏｎｄ）、オリーブ形状、波状、リブ付き形状（ｒｉｂｅｄ  ｓｈａｐｅ）、トリプルリブ付き形状（ｔｒｉｐｌｅ  ｒｉｂｅｄ  ｓｈａｐｅ）、クローバー状、中空形状、Ｃ字形、Ｄ字形、Ｘ字形、Ｓ字形、Ｗ字形、Ｖ字形、Ｕ字形およびＭ字形のうちの少なくとも２種の横断面形状を含み、前記捲縮ヤーン繊維（３）は、長方形、菱形およびリブ付き形状（ｒｉｂｅｄ  ｓｈａｐｅ）のうちの少なくとも１種の横断面形状を含むことを特徴とする請求項４に記載の多色多形態人工芝。
【請求項６】
前記ストレートヤーン繊維（２）は、リブ付き形状（ｒｉｂｅｄ  ｓｈａｐｅ）、Ｓ字形、ダブル菱形（Ｄｏｕｂｌｅ  Ｄｉａｍｏｎｄ）およびオリーブ形状の４種類の横断面形状を用い、前記捲縮ヤーン繊維（３）は、菱形の横断面形状を用いることを特徴とする請求項５に記載の多色多形態人工芝。
【請求項７】
前記ストレートヤーン繊維（２）と捲縮ヤーン繊維（３）の少なくとも一面に複数の縦方向直線溝（４）が設けられ、前記直線溝（４）の断面形状が長方形、三角形、半円形、半楕円形のうちの少なくとも１種であることを特徴とする請求項１に記載の多色多形態人工芝。
【請求項８】
前記直線溝（４）の断面形状は、頂角が円弧として移行する二等辺三角形であることを特徴とする請求項７に記載の多色多形態人工芝。
【請求項９】
前記ストレートヤーン繊維（２）と捲縮ヤーン繊維（３）は、独立してタフティングされ且つ１行ごとに交互して配列されるか、または混在して前記基布にタフティングされ、あるいは、前記ストレートヤーン繊維（２）と捲縮ヤーン繊維（３）は混在してタフティングされた後に独立してタフティングされたストレートヤーン繊維または捲縮ヤーン繊維と１行ごとに交互して配列されることを特徴とする請求項１に記載の多色多形態人工芝。
【請求項１０】
前記ストレートヤーン繊維（２）の単繊維繊度の範囲が２００ｄｔｅｘ−３０００ｄｔｅｘ、前記捲縮ヤーン繊維（３）の単繊維繊度の範囲が２００ｄｔｅｘ−３０００ｄｔｅｘであることを特徴とする請求項１に記載の多色多形態人工芝。
【考案の詳細な説明】
【技術分野】
【０００１】
本考案は、人工芝の技術分野に関し、特に多色多形態人工芝に関する。
【背景技術】
【０００２】
人工芝は、出現以来、レジャー施設やスポーツ施設で幅広く使用されており、施工しやすく、耐用年数が長く、そして低コストであるなどの特徴を有するため、応用の将来性が期待できる。
【０００３】
従来の人工芝は、形状および色が少なく、天然芝の外観とは差異があり、そして性能が少なく、様々な場所にうまく適用でき、サッカー場などのプロフェッショナルな運動場所の場合、人工芝に使用される化学繊維の摩擦係数が一般的に天然芝の芝葉より小さいため、サッカーをするときに球の速度が高すぎるようになり、運動選手による球の制御が難しくなる。
【考案の概要】
【考案が解決しようとする課題】
【０００４】
本考案の目的は、様々な場所に適用でき、且つプロフェッショナルな場所では芝生としての機能的な役割を果たす、適用範囲が幅広い人工芝を提供することにある。
【課題を解決するための手段】
【０００５】
上記目的を達成させるために、本考案は、基布、前記基布にタフティングした少なくとも３種類の色の芝糸繊維、および前記基布の裏面に塗布した接着剤を含み、前記芝糸繊維が捲縮ヤーン繊維および／または少なくとも２種の色のストレートヤーン繊維を含む多色多形態人工芝を提供する。
【０００６】
好ましくは、前記ストレートヤーン繊維は、緑色繊維、黄色繊維、茶褐色繊維のうちの２種または３種類であり、前記捲縮ヤーン繊維は、緑色繊維、黄色繊維、茶褐色繊維のうちの少なくとも１種であり、前記緑色繊維は、若緑色繊維、濃緑色繊維、浅緑色繊維、黄緑色繊維のうちの１種または複数種であり、前記黄色繊維は、米色繊維と茶色繊維のうちの１種または２種であり、前記茶褐色繊維は、薄茶褐色繊維、濃茶褐色繊維のうちの１種または２種である。
【０００７】
好ましくは、ストレートヤーン繊維は、浅緑色繊維、濃緑色繊維、黄緑色繊維および茶色繊維を含み、捲縮ヤーン繊維は、浅緑色繊維である。
【０００８】
好ましくは、前記ストレートヤーン繊維は、少なくとも２種の横断面形状を含み、前記捲縮ヤーン繊維は、少なくとも１種の横断面形状を含む。
【０００９】
好ましくは、前記ストレートヤーン繊維は、長方形、三角形、菱形、ダブル菱形（Ｄｏｕｂｌｅ  Ｄｉａｍｏｎｄ）、オリーブ形状、波状、リブ付き形状（ｒｉｂｅｄ  ｓｈａｐｅ）、トリプルリブ付き形状（ｔｒｉｐｌｅ  ｒｉｂｅｄ  ｓｈａｐｅ）、クローバー状、中空形状、Ｃ字形、Ｄ字形、Ｘ字形、Ｓ字形、Ｗ字形、Ｖ字形、Ｕ字形およびＭ字形のうちの少なくとも２種の横断面形状を含み、前記捲縮ヤーン繊維は、長方形、菱形およびリブ付き形状（ｒｉｂｅｄ  ｓｈａｐｅ）のうちの少なくとも１種の横断面形状を含む。
【００１０】
好ましくは、前記ストレートヤーン繊維は、リブ付き形状（ｒｉｂｅｄ  ｓｈａｐｅ）、Ｓ字形、ダブル菱形（Ｄｏｕｂｌｅ  Ｄｉａｍｏｎｄ）およびオリーブ形状の４種類の横断面形状を用い、前記捲縮ヤーン繊維は、菱形の横断面形状を用いる。
【００１１】
好ましくは、前記ストレートヤーン繊維と捲縮ヤーン繊維の少なくとも一面に複数の縦方向直線溝が設けられ、前記直線溝の断面形状は長方形、三角形、半円形、半楕円形のうちの少なくとも１種である。
【００１２】
好ましくは、前記直線溝の断面形状は、頂角が円弧として移行する二等辺三角形である。
【００１３】
好ましくは、前記ストレートヤーン繊維と捲縮ヤーン繊維は、独立してタフティングされ且つ１行ごとに交互して配列されるか、または混在して前記基布にタフティングされ、あるいは、前記ストレートヤーン繊維と捲縮ヤーン繊維は、混在してタフティングされた後に、独立してタフティングされたストレートヤーン繊維または捲縮ヤーン繊維と１行ごとに交互して配列される。
【００１４】
好ましくは、前記ストレートヤーン繊維の単繊維繊度の範囲が２００ｄｔｅｘ−３０００ｄｔｅｘ、前記捲縮ヤーン繊維の単繊維繊度の範囲が２００ｄｔｅｘ−３０００ｄｔｅｘである。
【００１５】
好ましくは、前記ストレートヤーン繊維の長さ範囲が８−８０ｍｍであり、前記捲縮ヤーン繊維の自然長さが８−８０ｍｍである。
【考案の効果】
【００１６】
本考案の有益な効果は、異なる横断面形状のストレートヤーンと捲縮ヤーン繊維を組み合わせるとともに、ストレートヤーン繊維に少なくとも２種の異なる色を付与することによって、人工芝の用途によって具体的に要求される機能に応じて色と断面形状を組み合わせることができ、より多くの用途に適用でき、芝糸繊維の表面に縦方向直線溝が設けられることで、芝糸繊維の摩擦係数を増大して、人工芝の機能的効果を高めることである。
【図面の簡単な説明】
【００１７】
ここで説明する図面は本考案をより理解しやすくするために過ぎず、本考案を不適切に制限するものではない。
【図１】本考案による一実施例の構造模式図である。
【図２】芝糸繊維に適する横断面形状である。
【図３】菱形糸状繊維の直線溝の構造模式図である。
【図４】三角形直線溝の横断面模式図である。
【図５】ストレートヤーン繊維と捲縮ヤーン繊維を独立してタフティングして１行ごとに交互して配列したときの模式図である。
【図６】ストレートヤーン繊維と捲縮ヤーン繊維を同時にタフティングして、ストレートヤーン繊維と１行ごとに交互して配列したときの模式図である。
【考案を実施するための形態】
【００１８】
以下、図面を参照しながら本考案の技術案を明瞭且つ完全に説明するが、勿論、説明する実施例は本考案の実施例の一部に過ぎず、すべての実施例ではない。当業者が創造的な努力を必要とせずに想到し得るすべてのほかの実施例は本考案の保護範囲に属する。
【００１９】
図１に示されるように、本考案は、基布１、前記基布１にタフティングした少なくとも３種類の色の芝糸繊維、および前記基布１の裏面に塗布した接着剤を含み、前記芝糸繊維が接着剤で基布に固定され、前記芝糸繊維が捲縮ヤーン繊維３および／または少なくとも２種の色のストレートヤーン繊維２を含む人工芝を提供している。
【００２０】
前記ストレートヤーン繊維２は、緑色繊維、黄色繊維、茶褐色繊維のうちの２種または３種類であり、前記捲縮ヤーン繊維３は、緑色繊維、黄色繊維、茶褐色繊維のうちの少なくとも１種であり、前記緑色繊維は、若緑色繊維、濃緑色繊維、浅緑色繊維、黄緑色繊維のうちの１種または複数種であり、前記黄色繊維は、米色繊維と茶色繊維のうちの１種または２種であり、前記茶褐色繊維は、薄茶褐色繊維、濃茶褐色繊維のうちの１種または２種である。具体的に使用されるとき、使用される場所、季節および用途に応じて、異なる緑色繊維、黄色繊維および茶褐色繊維を組み合わせることができる。
【００２１】
前記ストレートヤーン繊維２は、少なくとも２種の横断面形状を含み、前記捲縮ヤーン繊維３は、少なくとも１種の横断面形状を含む。前記ストレートヤーン繊維２は、長方形、三角形、菱形、ダブル菱形（Ｄｏｕｂｌｅ  Ｄｉａｍｏｎｄ）、オリーブ形状、波状、リブ付き形状（ｒｉｂｅｄ  ｓｈａｐｅ）、トリプルリブ付き形状（ｔｒｉｐｌｅ  ｒｉｂｅｄ  ｓｈａｐｅ）、クローバー状、中空形状、Ｃ字形、Ｄ字形、Ｘ字形、Ｓ字形、Ｗ字形、Ｖ字形、Ｕ字形およびＭ字形のうちの少なくとも２種の断面形状を含み、前記捲縮ヤーン繊維３は、長方形、菱形およびリブ付き形状（ｒｉｂｅｄ  ｓｈａｐｅ）のうちの少なくとも１種の横断面形状を含む。
【００２２】
その中でも、長方形の横断面は、長方形であって４つの角がシャープであり、図２に示されるように、波状（ｈ）の横断面は、複数回曲がって全体として細い形状であり、Ｓ字形（ｄ）の横断面は、字母Ｓのような形であって且つ平滑である形状を呈し、Ｗ字形（ｇ）の横断面は、字母Ｗのような形を呈し且つ平滑である。上記断面形状のものであれば、性能上、手触りが柔らかく、支持力が小さく、耐摩耗性がそれほど良好と言えない。
【００２３】
Ｃ字形（ａ）の横断面は、字母Ｃのような形を呈し且つ縦リブが設けられ、Ｕ字形（ｅ）の横断面は、Ｕ字形を呈し且つ内側に縦リブが設けられ、Ｖ字形（ｆ）の横断面は、Ｖ字形を呈し且つ外側に縦リブが設けられ、リブ付き形状（ｒｉｂｅｄ  ｓｈａｐｅ）（ｉ）の横断面は、中央部が太くて両端が細い形状を呈し、トリプルリブ付き形状（ｔｒｉｐｌｅ  ｒｉｂｅｄ  ｓｈａｐｅ）（ｋ）の横断面は、両側と中央部の他側のいずれにも縦リブが設けられ、中空形状（ｎ）の横断面は、両端が細くて中央部が太い中空形状であり、クローバー状（ｍ）の横断面は、３つの円弧が順次接続されて且つ接続部に縦リブが設けられた形状である。上記断面形状では、縦リブを設置することによって、葉の耐摩耗性を向上させるとともに、葉の直立性を高める。
【００２４】
三角形の横断面は平滑な三角形を呈し、菱形の横断面は平滑な菱形を呈し、ダブル菱形（Ｄｏｕｂｌｅ  Ｄｉａｍｏｎｄ）（ｌ）の横断面は、２つの部分が重なってなる菱形を呈し、オリーブ形状（ｊ）の横断面は平滑なオリーブ形状を呈し、Ｄ字形（ｂ）の横断面は平滑なＤ字形を呈し、Ｘ字形の横断面は平滑なＸ字形を呈し、Ｍ字形（ｃ）の横断面はシャープなＭ字形を呈する。上記断面形状のものであれば、性能上、質感が比較的硬く、支持力および耐摩耗性に優れる。
【００２５】
生産プロセスにおいて、ストレートヤーン繊維と捲縮ヤーン繊維の製造工程が異なり、ストレートヤーン繊維の場合は、まず押出機を用いて混合材料を適切な温度で対応した形状として押出し、次に冷却、熱延伸、ヒートセットなどの工程を行った後巻取り、捲縮ヤーン繊維の場合は、ヒートセット工程後に高温変形工程を追加して、芝糸繊維をカール状にする。
【００２６】
前記芝糸繊維は、光沢表面、マット表面または光沢表面とマット表面の組み合わせであってもよく、光沢表面は、光線への屈折と反射の効果が高く、マット表面は、光線を拡散反射することができる。マット表面には、化学的マット仕上げ法または物理的マット仕上げ法が使用可能であり、芝糸繊維の表面に微細な縦縞状突起を設置することにより物理的マット仕上げ法が実施でき、具体的には、押出機の金型に複数の微細な縦縞状凹部が設置され、化学的マット仕上げ法に比べて、化学つや消し剤の添加を減少できるため、環境やユーザの健康を保護する役割を果たす。
【００２７】
図３に示されるように、前記芝糸繊維の少なくとも一面に複数の縦方向直線溝４が設けられる。芝糸繊維を押出機の金型で押出する過程において、前記縦方向直線溝４を芝糸繊維の長さ方向に沿って芝糸繊維の表面に形成できる。
【００２８】
前記直線溝４の断面形状は、長方形、三角形、半円形、半楕円形のうちの少なくとも１種である。
【００２９】
具体的には、対応した形状のパターンを芝糸繊維の押出機の金型に設置し、押出過程に芝糸繊維の表面に縦方向直線溝を形成するように、押出機の金型の内表面に断面長方形の突起を複数設置してもよく、押出機の金型の内表面における突起の断面が三角形、半円形、半楕円形などとしてもよい。このような縦方向直線溝を有する芝糸繊維は、より現実的に天然芝の脈を模倣でき、具体的な使用場所に対して摩擦係数を増大する役割を果たす。
【００３０】
また、使用対象の場所によって期待される摩擦係数が異なるため、芝糸繊維の表面全体またはその半分の面に直線溝が設置されてもよい。
【００３１】
図４に示されるように、前記芝糸繊維の直線溝の断面形状として、頂角が円弧として移行する二等辺三角形に設置されてもよい。このような形状にすると、直線溝の底部での応力集中を大幅に低減させ、直線溝の設置による芝糸繊維の強度への影響を低下させ、それによって、摩擦係数を増大するとともに人工芝の耐用年数を延ばす。
【００３２】
前記ストレートヤーン繊維と捲縮ヤーン繊維を撚り合わせて加撚してもよく、独立して加撚してもよく、タフティング機を用いて所定の芝丈やステッチなどのパラメータに従って加撚後の芝糸繊維を基布にタフティングして人工芝の半成品とすることができる。
【００３３】
前記ストレートヤーン繊維と捲縮ヤーン繊維は混在して基布にタフティングされてもよく、図５に示されるように、ストレートヤーン繊維と捲縮ヤーン繊維は、独立してタフティングされ且つ１行ごとに交互して配列されるような形態としてもよい。
【００３４】
図６に示されるように、ストレートヤーン繊維と捲縮ヤーン繊維は、混在してタフティングされた後に、独立してタフティングされたストレートヤーン繊維と１行ごとに交互して配列され、または捲縮ヤーン繊維と１行ごとに交互して配列される。
【００３５】
本考案では、前記ストレートヤーン繊維は、同じまたは異なる太さを有してもよく、対応した単繊維繊度の範囲が２００ｄｔｅｘ−３０００ｄｔｅｘであり、前記捲縮ヤーン繊維は、同じまたは異なる太さを有してもよく、その単繊維繊度の範囲が２００ｄｔｅｘ−３０００ｄｔｅｘである。
【００３６】
前記ストレートヤーン繊維２の長さ範囲が８−８０ｍｍであり、前記捲縮ヤーン繊維３の自然長さが８−８０ｍｍである。
【００３７】
実施例１
ストレートヤーン繊維として、横断面菱形（光沢）＋長方形（光沢）＋Ｓ字形（光沢）＋Ｗ字形（マット）のものの組み合わせを用い、且つ単繊維繊度の範囲を５００−２０００ｄｔｅｘにした。捲縮ヤーン繊維横として、断面を長方形（光沢）にして、単繊維繊度の範囲を４００−６００ｄｔｅｘにした。ストレートヤーン繊維と捲縮ヤーン繊維を混在してタフティングし、タフト数を１５００００針、長さを３０ｍｍとした。ストレートヤーン繊維には、浅緑色繊維、濃緑色繊維、黄緑色繊維および茶色繊維を組み合わせ、捲縮ヤーン繊維を浅緑色繊維とした。このように組み合わせることによって、天然芝の若芽から枯芝までのリアルな外観を作り出し、且つ単繊維繊度の範囲を広げ、人工芝完成品は手触りが柔らかくて、踏み心地が快適であり、幼稚園、景観エリアでの使用に向いている。
【００３８】
実施例２
ストレートヤーン繊維として、リブ付き形状（ｒｉｂｅｄ  ｓｈａｐｅ）（光沢）＋Ｓ字形（光沢）＋ダブル菱形（Ｄｏｕｂｌｅ  Ｄｉａｍｏｎｄ）（マット）＋オリーブ形状（光沢）のものを用い、且つリブ付き形状（ｒｉｂｅｄ  ｓｈａｐｅ）のすべての面、Ｓ字形のすべての面、ダブル菱形（Ｄｏｕｂｌｅ  Ｄｉａｍｏｎｄ）のすべての面、オリーブ形状の一面にそれぞれ頂角が円弧として移行する二等辺三角形の直線溝が１０個設置され、直繊維として、単繊維繊度の範囲を１０００−２０００ｄｔｅｘ、長さを５０ｍｍとした。捲縮ヤーン繊維には菱形（光沢）を用い、菱形のすべての面に長方形直線溝が設けられ、捲縮ヤーン繊維の単繊維繊度の範囲が４００−８００ｄｔｅｘ、自然長さが３０ｍｍであった。ストレートヤーン繊維には、若緑色繊維、濃緑色繊維、黄緑色繊維および米色繊維を組み合わせ、捲縮ヤーン繊維を浅緑色繊維とした。人工芝では、タフト数を１０５００針とした。ストレートヤーン繊維と捲縮ヤーン繊維を混在してタフティングし、このように組み合わせることによって、人工芝の支持性と耐摩耗性を良好にし、直線溝を設置することで、転がっている球に対して一定の摩擦力を与え、球の転がり速度が速すぎることを抑制し、このため、サッカー場などの運動場所に適用できる。
【図１】
0003222143.tif 000003
【図２】
0003222143.tif 000004
【図３】
0003222143.tif 000005
【図４】
0003222143.tif 000006
【図５】
0003222143.tif 000007
【図６】
0003222143.tif 000008